(57)【特許請求の範囲】
【請求項１】
内部に薬を収納する空間を持つ底付きの円筒形の内胴と、前記内胴の外周に指示線とともに曜日又は朝晩等の薬を服用する日時を表示した回転枠と、上部に指示線とともに今日の表示をしている蓋とを有する薬箱において、前記蓋は，ヒンジとバネ板とを備え、前記回転枠は、回転枠ツノと逆回転防止爪とを備え、前記内胴は、逆回転防止溝と突起体とストッパーとバネグチとを備え、前記蓋はヒンジを介して開閉できるようになっており、前記蓋を閉めた状態では、前記蓋に取り付けたバネ板に設けたバネ穴と前記内胴に取り付けた突起体がバネグチの中でかみ合って前記蓋が開かない状態になっており、また、前記回転枠の内周に取り付けた逆転防止爪と前記内胴の外周に設けた逆回転防止溝が接触した状態になっており、前記回転枠は、前記逆回転防止爪が回転枠の内周の法線に対し斜めに取り付けられていることと逆回転防止溝がノコギリ刃の形状になっていることとによって一方方向にのみ回転するようになっており、回転枠の曜日又は朝・晩等の薬を服用する日時の指示線を蓋の今日の指示線に合わせるために回転枠を回すとバネ板は回転枠ツノによって内胴のストッパーに当たった状態で回転が規制されて止まり、バネ穴と突起体とのかみ合いがはずれることによって前記蓋が開くことができる状態となり、この状態で前記蓋を開くと、回転枠ツノに押されていたバネ板がすり抜けて元の形状に戻り、その後、蓋を閉めたときは、バネ板は前記内胴のバネグチから突起体の上部斜面を滑りながら入り込み再びバネ穴と突起体のかみ合いが成立し前記蓋が開かない状態にもどることで該当日又は該当時期では蓋を一度開けると当該位置で二度とは開かなくなる飲み忘れを防止する薬箱。
【発明の詳細な説明】
【技術分野】
【０００１】
本発明は、一日に一回乃至複数回、1乃至複数種類の薬を服用する場合、「飲んだかどうか忘れた」と心配する対象者の重服用や欠服用を防止する薬箱に関するものである。
【先行技術文献】
【特許文献】
【０００２】
【特許文献１】特開平１０−２２５５０２は、一度蓋をすると、次の時期に合わせなければ、二度と開けることが出来ないようにすることで、薬を飲んだかどうかを心配しなくてもよい、飲み忘れ防止薬箱であるが、蓋を閉じるときの位置決めを、図３，図４に描いてある内側の六角形で示唆している様には思えるが、その詳細な記述がないため、薬を飲む人又は薬を取り出す人の感覚に頼らざるを得ないという基本的な問題があり、止め金と縦溝の入り口をぴったり合わせて蓋を閉めることは非常に難しいと思われる。また、一日に朝一錠服用するような人にとっては、「ひる」で一旦蓋を開け、その開けた状態で「ばん」、「あさ」の操作をするという不自然さがある。何か勘違いしてまたはよく確認しないで最初に蓋が開いた「ひる」の位置で薬を飲んでそのまま蓋を締めたら間違って飲まないという機能は完全に麻痺してしまうことになる。
【発明の概要】
【発明が解決しようとする課題】
【０００３】
一日に一回乃至複数回、１乃至複数種類の薬を服用するときに起こるのが、服用したかどうかを忘れたために、二重に服用したり、必要な服用をやめたりするような誤飲である。そこで、薬箱の側面に七曜日を指示する回転枠を設け、回転させることにより当日の曜日を蓋の「今日」に合わせて蓋を開き、その後、閉じると、薬箱の蓋は、次の曜日に回転枠を操作するまで二度と開かないようにしたことで、当日服用したかどうかを忘れても、蓋の開かない状態と曜日の位置とで服用者の現況をはっきりと認識できるような薬箱を提供することを課題としている。
【課題を解決するための手段】
【０００４】
円筒形薬箱の蓋を片開き蓋とし、蓋側にバネ穴のあるバネ板、内胴に突起体を設け、通常はバネ板と突起体（図５Ｊ・Ｇ）がかみ合って蓋が開かない状態にしている。外周に七曜日を記した回転枠（Ｂ）を設け、蓋の「今日」の指示線に曜日の指示線を合わせるために回転枠を回すと、回転枠ツノ（Ｄ）がバネ板（Ｉ）を押し、バネ板が曲げられ内胴のストッパーに当たった状態で回転が規制されて止まり、バネ板が押されて曲げられることでバネ板と突起体とのかみ合いが外れて蓋を開けることができる。蓋を開けると同時に蓋に取り付けているバネ板は、回転枠ツノからすり抜けてはずれ、曲げの力から解放された状態になる。蓋を閉じると、バネグチより進入したバネ板のバネ穴と突起体がかみ合い、元の蓋の開かない状態にもどる。このことで、服用したかどうかを忘れて心配になったとき、回転枠の曜日位置と蓋の開くかどうかの状態を知ることで、その日、すでに薬を服用していたかどうかを知ることが出来る。
【発明の効果】
【０００５】
本発明は、一日に１回乃至複数回薬を服用する場合、その日、服用したかどうかを忘れて心配になったときに、薬箱の曜日を記した回転枠の表示位置や蓋の開閉状態から、その日の薬の服用状況を確認でき、二重服用や欠服用の弊害を解消することが出来る。
【図面の簡単な説明】
【０００６】
【図１】図１は、全体図である。
【図２】図２は、蓋を開けた状態を示す。
【図３】図３は、回転枠を示す。
【図４】図４は、内胴を示し、蓋の一部と底を取り付けている。
【図５】図５は、上方より見た図である。図１〜図４の各部品が合体している状態を示している。
【図６】図６は、バネ板と回転枠ツノ、ストッパー、及び逆回転防止溝と逆転防止爪の関係を示している。
【図７】図７は、図６の○で囲んだ部分の説明図である。バネ板・バネ穴・突起体・回転枠ツノ・ストッパーの位置関係を示している。
【発明を実施するための形態】
【０００７】
本発明の薬箱は、携帯用としても使えるよう小型化し、外側への突起物をなくしている。（図１参照）  
【０００８】
蓋を閉める際に蓋のバネ板（Ｉ）が、内胴のバネグチ（Ｋ）より内部に収まる。（図２参照）
【０００９】
回転する回転枠の内側には７本の回転枠ツノ（Ｄ）が出ている。また、内側に弾力のある逆回転防止爪（Ｅ）があり、正回転方向では溝を滑り、逆回転方向では溝に引っかかるように爪の角度を設置している。（図３参照）
【００１０】
内胴の、ａ：逆回転防止溝（Ｆ）は、ノコギリ刃の形状を有し、逆回転防止爪とのかみ合いにより回転枠が逆に回転しないようになっている。ｂ：曜日を「今日」の場所に合わせるとき、正回転の廻りすぎを止めるためにストッパー（Ｈ）を設置している。ｃ：蓋を閉めたとき蓋に取り付けたバネ板（Ｉ）が内胴のバネグチより入り込みバネ穴と突起体がかみ合い、蓋が開かないようにしている。（図４参照）
【００１１】
蓋の「今日」と回転枠を回転させて「曜日」を合わせるとき、回転枠の回転枠ツノ（Ｄ）が溝の中を移動し、回転枠ツノがバネ板（Ｉ）を押し、バネ板が内胴のストッパーに当たった状態で回転が規制されて止まり、バネ板のバネ穴は内胴の突起体（Ｇ）から外れて蓋が開くようになる。また、閉めるとバネグチより進入したバネ板のバネ穴と突起体がかみ合って開かなくなる仕組みになっている。（図７参照）
【実施例１】
【００１２】
１日２回例えば朝と晩に飲む人は、回転枠の回転枠ツノの数を２本、又は４本、６本にして、七曜日の表示を「朝」・「晩」・「朝」・「晩」・・・にすれば対応できる。１日３回飲む人の場合は、回転枠ツノの数を３本又は６本にして、七曜日の表示を「朝」・「昼」・「晩」・・・にすれば対応できる。
【実施例２】
【００１３】
１日置きに飲むような人は、回転枠の曜日の文字を、「月」・「水」・「金」・「日」・「火」・「木」・「土」と曜日を一つ飛びにすることで対応できる。このことは、２日置きの時には、曜日を二つ飛びに、３日置きでは三つ飛びにすることで対応できる。これらの場合、回転枠ツノの数は、７本のままでよい。
【００１４】
実施する実施例１、実施例２を表にまとめると次の通りになる。
【００１５】
【表１】
0005459358.tif 000002
【符号の説明】
【００１６】
Ａ  蓋              
Ｂ  回転枠        
Ｃ  内胴        
Ｄ  回転枠ツノ
Ｅ  逆回転防止爪  
Ｆ  逆回転防止溝  
Ｇ  突起体      
Ｈ  ストッパー
Ｉ  バネ板          
Ｊ  バネ穴        
Ｋ  バネグチ    
Ｌ  溝
Ｍ  ヒンジ
【図１】
0005459358.tif 000003
【図２】
0005459358.tif 000004
【図３】
0005459358.tif 000005
【図４】
0005459358.tif 000006
【図５】
0005459358.tif 000007
【図６】
0005459358.tif 000008
【図７】
0005459358.tif 000009